(57)【要約】【課題】本発明は、簡易な構造で鮮明な立体映像を表示することができ、平面映像をも切り替えて表示することができる立体映像表示装置を提供する。【解決手段】光透過型液晶表示素子２の前面に、それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板３２ａ、３２ｂにより挟み込まれて形成されたシャッター素子が配置されている。上記光透過型液晶表示素子２に右目用映像と左目用映像とを周期的に切り替えて表示させるとともに、上記光透過型液晶表示素子２の映像切替周期に同期させて、上記シャッター素子３を構成する２枚のＳＴＮ液晶表示素子３１ａ、３１ｂのリタデーションの差を変化させることにより、上記右目用映像を右目に知覚させるとともに、左目用映像を左目に知覚させて、上記光透過型液晶表示素子２の映像を立体映像として見せることができる。【選択図】  図１
2004198727.tif 000002
【特許請求の範囲】
【請求項１】
光透過型液晶表示素子の前面に、
それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子が配置された立体映像表示装置であって、
上記光透過型液晶表示素子に右目用映像と左目用映像とを周期的に切り替えて表示させるとともに、
上記光透過型液晶表示素子の映像切替周期に同期させて、上記シャッター素子を構成する２枚のＳＴＮ液晶表示素子のリタデーションの差を変化させることにより、上記右目用映像を右目に知覚させるとともに、左目用映像を左目に知覚させて、
上記光透過型液晶表示素子の映像を立体映像として見せることを特徴とする立体映像表示装置。
【請求項２】
光透過型液晶表示素子の前面に、
それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子が配置された立体映像表示装置であって、
上記光透過型液晶表示素子は、立体映像用表示と平面映像用表示が可能であり、
立体映像を表示させる場合に、上記光透過型液晶表示素子は右目用映像と左目用映像とを周期的に切り替える表示を行うとともに、
上記光透過型液晶表示素子の映像切替周期に同期させて、上記シャッター素子を構成する２枚のＳＴＮ液晶表示素子のリタデーションの差を変化させることにより、上記右目用映像を右目に知覚させるとともに、左目用映像を左目に知覚させて、
上記光透過型液晶表示素子の映像を立体映像として見せ、
平面映像を表示させる場合に、上記光透過型液晶表示素子は平面映像用表示を行うとともに、
上記シャッター素子を構成する２枚のＳＴＮ液晶表示素子のリタデーションを、ともに１０（ｎｍ）以下とすることにより、上記光透過型液晶表示素子の映像を平面映像として見せることを特徴とする立体映像表示装置。
【請求項３】
請求項１又は２に記載された立体映像表示装置であって、
上記シャッター素子を構成する２枚のＳＴＮ液晶表示素子のうち、いずれか一方のＳＴＮ液晶表示素子のリタデーションをＡ（ｎｍ）とし、他方のＳＴＮ液晶表示素子のリタデーションをＢ（ｎｍ）とした場合、
上記２枚のＳＴＮ液晶表示素子は、
ともに電荷が印加されていない状態で、
右目の視角に対しＡ−Ｂ＝０（ｎｍ）、且つ、左目の視角に対しＡ−Ｂ＝２００（ｎｍ）となるように光学配置されており、
２枚のＳＴＮ液晶表示素子に印加する電圧を調整することで、
右目の視角に対しＡ−Ｂ＝２００（ｎｍ）、且つ、左目の視角に対しＡ−Ｂ＝０（ｎｍ）とリタデーションの差を反転させることにより、上記光透過型液晶表示素子の映像を立体映像として見せることを特徴とする立体映像表示装置。
【請求項４】
請求項１乃至３のいずれか１項に記載された立体映像表示装置であって、
上記シャッター素子を構成する２枚のＳＴＮ液晶表示素子に用いられている液晶材料のツイスト角が、２４０°以上、２７０°以下であることを特徴とする立体映像表示装置。
【請求項５】
請求項１乃至４のいずれか１項に記載された立体映像表示装置であって、
右目若しくは左目の視角方向から見て、上記２枚の偏光板の各偏光軸をともにツイストしている液晶分子の中央の長軸方向に対して平行に配置するか、あるいは、１本の偏光軸は上記液晶分子の長軸方向に平行であって、且つ、他の１本の偏光軸は上記液晶分子の長軸方向に直交するように配置されていることを特徴とする立体映像表示装置。
【請求項６】
それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子であって、
上記２枚のＳＴＮ液晶表示素子のうち、いずれか一方のＳＴＮ液晶表示素子のリタデーションをＡ（ｎｍ）とし、他方のＳＴＮ液晶表示素子のリタデーションをＢ（ｎｍ）とした場合、
上記２枚のＳＴＮ液晶表示素子は、
ともに電荷が印加されていない状態で、
異なる２方向のうち、１方向の視角に対しＡ−Ｂ＝０（ｎｍ）、且つ、他の１方向の視角に対してＡ−Ｂ＝２００（ｎｍ）となるように光学配置されており、
２枚のＳＴＮ液晶表示素子に印加する電圧を調整することで、
上記１方向の視角に対しＡ−Ｂ＝２００（ｎｍ）、且つ、上記他の１方向の視角に対しＡ−Ｂ＝０（ｎｍ）とリタデーションの差を反転させることが可能であることを特徴とするシャッター素子。
【請求項７】
それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子であって、
上記２枚のＳＴＮ液晶表示素子のうち、いずれか一方のＳＴＮ液晶表示素子のリタデーションをＡ（ｎｍ）とし、他方のＳＴＮ液晶表示素子のリタデーションをＢ（ｎｍ）とした場合、
上記２枚のＳＴＮ液晶表示素子は、
ともに電荷が印加されていない状態で、
異なる２方向のうち、１方向の視角に対しＡ−Ｂ＝０（ｎｍ）、且つ、他の１方向の視角に対してＡ−Ｂ＝２００（ｎｍ）となるように光学配置されており、
２枚のＳＴＮ液晶表示素子に印加する電圧を調整することで、
上記１方向の視角に対しＡ−Ｂ＝２００（ｎｍ）、且つ、上記他の１方向の視角に対しＡ−Ｂ＝０（ｎｍ）とリタデーションの差を反転させることが可能であるとともに、
２枚のＳＴＮ液晶表示素子に印加する電圧を調整することで、
２枚のＳＴＮ液晶表示素子のリタデーションをともに１０（ｎｍ）以下とすることが可能であることを特徴とするシャッター素子。
【請求項８】
請求項６又は７に記載されたシャッター素子であって、
上記２枚のＳＴＮ液晶表示素子に用いられている液晶材料のツイスト角が、２４０°以上、２７０°以下であることを特徴とするシャッター素子。
【発明の詳細な説明】
【０００１】
【発明の属する技術分野】
本発明は、立体映像表示表示装置及びその立体映像表示装置に使用されるシャッター素子に関する。
【０００２】
【従来の技術】
従来から立体映像を表示する技術は、種々研究されている。その中で代表的なものは、特殊な眼鏡を使用する方式のものと、眼鏡を使用しない方式のものに大別される。
【０００３】
眼鏡を使用する方式には、赤、青眼鏡を使用するアナグリフ方式や、偏光眼鏡を使用する方式がある。これら両方式は、視差のある映像を観察者の左右の目にそれぞれ入力し、立体映像として認識させるものである。しかし、これら方式では眼鏡を着用する必要があり、煩わしいという問題があった。
【０００４】
また、眼鏡無し方式の代表的なものとして、パララックスバリア方式やレンチキュラ方式がある。
【０００５】
パララックスバリア方式の原理を図５に示す。液晶表示素子１００には、右目用の映像１０１と左目用の映像１０２とが交互に表示されている。液晶表示素子１００の前面には、該液晶表示素子１００の画素ピッチと対応するスリット１０３を備えたバリア１０４が配されている。鑑賞者が該バリア１０４を通して液晶表示素子１００を見たとき、鑑賞者の右目には右目用の映像１０１が見え、左目には左目用１０２の映像が見える。これにより、左右の目の視差作用を生じ、液晶表示素子１００の映像を立体映像として見ることができる。
【０００６】
レンチキュラ方式の原理を図６に示す。上記パララックスバリア方式と同様に、液晶表示素子２００には、右目用の映像２０１と左目用の映像２０２とが交互に表示されている。該液晶表示素子２００の前面には、レンチキュラレンズ２０３が配置されている。鑑賞者は、レンチキュラレンズ２０３を通して液晶表示素子２００を見ることにより、右目で右目用の映像２０１を、左目で左目用の映像２０２を見ることができる。これにより、左右の目の視差作用を生じ、液晶表示素子２００の映像を立体映像として見ることができる。
【０００７】
しかし、これらの方式は、バリア又はレンズと液晶表示素子の画素ピッチとの合致に高い位置決め精度が要求され、製造上の難しさがあるうえ、コストがかかるなどの問題があった。また、これらの方式は、立体映像専用であり、通常の二次元表示をすることができない、といった問題もあった。
【０００８】
そこで、これらの問題を解決するために、種々の研究開発が行われてきた。
【０００９】
例えば、図７に示すように、９０度位相の異なる帯状の偏光面が順番に配列している偏光フィルタ３００、３０１、３０２を、横方向へ少しずつずらして３層で構成した偏光フィルタパネル３０４を配置した液晶表示装置が開示されている。該液晶表示装置は、周期的に映像表示ディスプレイに表示される左目用映像と右目用映像に同期して、偏光フィルタ３００、３０１、３０２に電気的信号を与え、周期的に光の透過角度を変えることで左目用映像と右目用映像を振り分け、立体映像として表示させている（例えば、特許文献１参照。）。
【００１０】
また、図８に示すように、液晶表示素子４００の背面に２つのバックライト４０１ａ、４０１ｂとフレネルレンズ４０２を備え、該液晶表示素子４００の映像を周期的に右目用映像と左目用映像とに切り替えて表示させるとともに、液晶表示の切替周期に同期させて前記２つのバックライト４０１ａ、４０１ｂを交互に点滅させる。これにより、鑑賞者は、右目用映像と左目用映像を交互に切り替えて認識することにより、液晶表示素子の映像を立体映像として見ることができるものである。（例えば、特許文献２参照。）。
【００１１】
【特許文献１】
特開平６−１０５３４１号公報
【特許文献２】
特開平８−２６２３７０号公報
【００１２】
【発明が解決しようとする課題】
しかしながら、特開平６−１０５３４１公報に開示されている３層構造の偏光フィルタを用いる方法では、偏光フィルタを作製する際に、映像表示用の液晶表示素子の画素ピッチと合致させたピッチで、９０°位相の異なる偏光面を配列させた偏光フィルタを３枚作成しなければならず、また、それら３枚のフィルタを所定の光学配置で貼り合わせるためには、高精度な位置決め技術が必要となる。
従って、本従来技術に係る立体映像表示装置は、製造上、技術的な困難を伴うという問題があった。
【００１３】
更に、特開平８−２６２３７０公報では、立体映像表示装置の製造は比較的容易であるが、２つのバックライトを使用しているとこから、光源から液晶表示素子までの距離が必要となり、小型化には適さない。その上、製品コスト及び消費電力面でのランニングコストも大きいという問題があった。
【００１４】
そこで、本発明は、上記課題を解決するために、２枚のＳＴＮ液晶表示素子を使用することで、簡易な構造で立体映像表示を可能とし、切替により通常の二次元表示をも可能とする立体映像表示装置を提供することを目的とする。
【００１５】
【課題を解決するための手段】
上記課題を解決するために、本発明では、映像を表示させる光透過型液晶表示素子と、比較的単純な構造を有する２枚のＳＴＮ液晶表示素子を貼り合わせ、その２枚のＳＴＮ液晶表示素子を挟むように２枚の偏光板を配置させたシャッター素子を用いる。そして、光透過型液晶表示素子に右目用映像と左目用映像とを周期的に切り替えて表示させるとともに、映像切替周期の同期させて上記シャッター素子を駆動させる。
【００１６】
本発明において、上記シャッター素子は、上記光透過型液晶表示素子の映像切替周期に同期させて、２枚のＳＴＮ（Super Twisted Nematic）液晶表示素子のリタデーションの差を変化させるように駆動させる。これにより、鑑賞者の右目には右目用映像を、左目には左目用映像を知覚させ、鑑賞者の両眼視差作用により、上記光透過型液晶表示素子の映像を立体映像として見ることができるようにしたものである。
【００１７】
具体的に、請求項１に係る発明は、光透過型液晶表示素子の前面に、それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子が配置された立体映像表示装置であって、上記光透過型液晶表示素子に右目用映像と左目用映像とを周期的に切り替えて表示させるとともに、上記光透過型液晶表示素子の映像切替周期に同期させて、上記シャッター素子を構成する２枚のＳＴＮ液晶表示素子のリタデーションの差を変化させることにより、上記右目用映像を右目に知覚させるとともに、左目用映像を左目に知覚させて、上記光透過型液晶表示素子の映像を立体映像として見せることができるようにしたことを特徴とする。
【００１８】
本発明において、光透過型液晶表示素子は、右目用映像と左目用映像とを周期的に切り替えて表示する。これら右目用映像は右目のみに知覚され、左目用映像は左目のみに知覚されるようにシャッター素子を用いる。
【００１９】
本発明に係るシャッター素子は、２枚のＳＴＮ液晶表示素子を重ね合わせ、それら２枚のＳＴＮ液晶表示素子を挟み込むように２枚の偏光板を形成して構成されている。
【００２０】
ＳＴＮ液晶表示素子は、リタデーションが大きいという特長を有するため、２枚のＳＴＮ液晶表示素子を駆動させ、それら２枚のＳＴＮ表示素子のリタデーションの差を変化させることにより、透過する光の進行方向を明確に２方向に規制して切り替えることができる。
【００２１】
即ち、光透過型液晶表示素子が右目用映像を表示している状態において、上記シャッター素子は、右目の視角方向にのみ光を透過し、一方、光透過型液晶表示素子が左目用映像を表示している状態において、上記シャッター素子は、左目の視角方向のみに光を透過する。これにより、鑑賞者は、両眼視差のある右目の映像と左目の映像をそれぞれ認識することにより、光透過型液晶表示素子の映像を立体映像として見ることができる。
【００２２】
なお、発明において、各ＳＴＮ液晶表示装置のリタデーションが２０００ｎｍ未満であると、光透過型液晶表示素子に表示される右目用映像と左目用映像とを明確に分離することが困難となる。
【００２３】
請求項２に係る発明は、光透過型液晶表示素子の前面に、それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子が配置された立体映像表示装置であって、上記光透過型液晶表示素子は、立体映像用表示と平面映像用表示が可能である。
【００２４】
本発明に係る立体映像表示装置において、立体映像を表示させる場合、上記光透過型液晶表示素子は右目用映像と左目用映像とを周期的に切り替える表示を行うとともに、上記光透過型液晶表示素子の映像切替周期に同期させて、上記シャッター素子を構成する２枚のＳＴＮ液晶表示素子のリタデーションの差を変化させることにより、上記右目用映像を右目に知覚させるとともに、左目用映像を左目に知覚させて、上記光透過型液晶表示素子の映像を立体映像として見せることができる。
【００２５】
本発明に係る立体映像表示装置において、平面映像を表示させる場合、上記光透過型液晶表示素子は平面映像用表示を行うとともに、上記シャッター素子を構成する２枚のＳＴＮ液晶表示素子のリタデーションをともに１０（ｎｍ）以下とすることにより、上記光透過型液晶表示素子の映像を平面映像として見せることができることを特徴とする。
【００２６】
本発明に係る立体映像表示装置は、立体映像を表示する場合、上記発明と同様に光透過型液晶表示素子に右目用映像と左目用映像を交互に表示する立体映像用表示を行う。上記シャッター素子は、上記光透過型液晶表示素子の映像切替周期に同期させて、２枚のＳＴＮ液晶表示素子のリタデーションの差を変化させることにより、上記右目用映像を右目に知覚させるとともに、左目用映像を左目に知覚させて、上記光透過型液晶表示素子の映像を立体映像として見せる。
【００２７】
なお、本発明において、各ＳＴＮ液晶表示装置のリタデーションが２０００ｎｍ未満であると、光透過型液晶表示素子に表示される右目用映像と左目用映像とを明確に分離することが困難となる。
【００２８】
一方、本発明に係る立体映像表示装置は、平面映像を表示する場合、上記光透過型液晶表示素子に平面映像用表示を行わせる。平面映像用表示とは、通常の映像表示であって、右目用映像、左目用映像に切り替わる映像ではなく、一定の視角により認識される映像が継続して表示されるものをいう。
【００２９】
この場合、上記シャッター素子を構成する２枚のＳＴＮ液晶表示素子のリタデーションをともに１０（ｎｍ）以下となるように駆動させ、右目及び左目に同じ平面映像用表示を同時に知覚させることにより、鑑賞者に通常の平面映像を見せることができる。このように、本発明に係る立体映像表示装置は、立体映像のみならず平面映像をも表示することができる。
【００３０】
請求項３に係る発明は、請求項１又は２に記載された立体映像表示装置であって、上記シャッター素子を構成する２枚のＳＴＮ液晶表示素子のうち、いずれか一方のＳＴＮ液晶表示素子のリタデーションをＡ（ｎｍ）とし、他方のＳＴＮ液晶表示素子のリタデーションをＢ（ｎｍ）とした場合、上記２枚のＳＴＮ液晶表示素子は、ともに電荷が印加されていない状態で、右目の視角に対しＡ−Ｂ＝０（ｎｍ）、且つ、左目の視角に対しＡ−Ｂ＝２００（ｎｍ）となるように光学配置されており、２枚のＳＴＮ液晶表示素子に印加する電圧を調整することで、右目の視角に対しＡ−Ｂ＝２００（ｎｍ）、且つ、左目の視角に対しＡ−Ｂ＝０（ｎｍ）とリタデーションの差を反転させることにより、上記光透過型液晶表示素子の映像を立体映像として見せることができるようにしたことを特徴とする。
【００３１】
本発明に係る立体映像表示装置は、２枚のＳＴＮ液晶表示素子の右目の視角と左目の視角に対するリタデーションの差を、２００（ｎｍ）と０（ｎｍ）と交互に切り替えることにより、右目用映像と左目用映像を明確に分離して鑑賞者に知覚させる。
【００３２】
即ち、上記シャッター素子の挙動について、２枚のＳＴＮ液晶表示素子に電荷が印加されていない状態において、シャッター素子は、右目の視角に対し右目用映像を白表示（Ａ−Ｂ＝０ｎｍ）とし、このとき、左目の視角に対してはリタデーションの差が反転し、左目用映像を黒表示（Ａ−Ｂ＝２００ｎｍ）とする。一方、両ＳＴＮ液晶表示素子に電圧が印加された状態において、シャッター素子は、右目の視角に対し右目用映像を黒表示（Ａ−Ｂ＝２００ｎｍ）とし、このとき、左目の視角に対してはリタデーションの差が反転し、左目用映像を白表示（Ａ−Ｂ＝０ｎｍ）とする。
【００３３】
ここで、２枚のＳＴＮ液晶表示素子のリタデーションの差を０ｎｍと２００ｎｍに設定するのは、この組み合わせが最も白黒表示のコントラストが良くなるからである。
【００３４】
また、本発明において、上記２枚のＳＴＮ液晶表示素子のリタデータションの関係が、Ａ−２００ｎｍ≧Ｂとなる様に電圧を印加することにより、右目用映像と左目用映像を明確に分離することができる。
【００３５】
請求項４に係る発明は、請求項１乃至３のいずれか１項に記載された立体映像表示装置であって、上記シャッター素子を構成する２枚のＳＴＮ液晶表示素子に用いられている液晶材料のツイスト角が、２４０°以上、２７０°以下であることを特徴とする。
【００３６】
上記２枚のＳＴＮ液晶表示素子において、ツイスト角が２４０°以上、２７０°以下である液晶材料を使用することにより、各ＳＴＮ液晶表示素子のリタデーションを大きくすることができる。そのため、光透過型液晶表示素子に表示される右目用映像と左目用映像とを明確に分離することができる。ツイスト角度が２４０°未満であると、視角を狭くするための光学配置が設定しずらくなり、鮮明な立体映像の表示が困難になる。
【００３７】
請求項５に係る発明は、請求項１乃至４のいずれか１項に記載された立体映像表示装置であって、右目若しくは左目の視角方向から見て、上記２枚の偏光板の各偏光軸をともにツイストしている液晶分子の中央の長軸方向に対して平行に配置するか、あるいは、１本の偏光軸は上記液晶分子の長軸方向に平行であって、且つ、他の１本の偏光軸は上記液晶分子の長軸方向に直交するように配置されていることを特徴とする。
【００３８】
このように上記偏光板の偏光軸を配置することで、２枚の偏光板は平行ニコル、あるいは、クロスニコルに配置されることとなり、ＳＴＮ液晶表示素子に対する右目若しくは左目の視角の広がりを押さえることができる。そのため、左目と右目に別々に送られる映像情報は、交錯することなく明確に分離されて鑑賞者に認識される。その結果、鑑賞者は明快な立体映像を得ることができる。
【００３９】
請求項６に係る発明は、それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子である。上記２枚のＳＴＮ液晶表示素子のうち、いずれか一方のＳＴＮ液晶表示素子のリタデーションをＡ（ｎｍ）とし、他方のＳＴＮ液晶表示素子のリタデーションをＢ（ｎｍ）とした場合、上記２枚のＳＴＮ液晶表示素子は、ともに電荷が印加されていない状態で、異なる２方向のうち、１方向の視角に対しＡ−Ｂ＝０（ｎｍ）、且つ、他の１方向の視角に対してＡ−Ｂ＝２００（ｎｍ）となるように光学配置されており、２枚のＳＴＮ液晶表示素子に印加する電圧を調整することで、上記１方向の視角に対しＡ−Ｂ＝２００（ｎｍ）、且つ、上記他の１方向の視角に対しＡ−Ｂ＝０（ｎｍ）とリタデーションの差を反転させることを特徴とする。
【００４０】
本発明は、右目用映像と左目用映像を周期的に切り替えて表示する表示素子を備えた立体映像表示装置に使用されるシャッター素子である。
【００４１】
本発明に係るシャッター素子に使用されるＳＴＮ液晶表示素子は、リタデーションが大きいという特長を有する。そのため、２枚のＳＴＮ液晶表示素子を駆動させ、それら２枚のＳＴＮ表示素子のリタデーションの差を変化させることにより、透過する光の進行方向を明確に２方向に規制して切り替えることができる。
【００４２】
従って、本発明に係るシャッター素子は、表示素子の右目用映像を右目のみに知覚させ、左目用映像を左目のみに知覚させることができる。
【００４３】
即ち、表示素子が右目用映像を表示している状態において、上記シャッター素子は、右目の視角方向にのみ光を透過し、一方、表示素子が左目用映像を表示している状態において、上記シャッター素子は、左目の視角方向のみに光を透過する。これにより、本発明に係るシャッター素子を、右目用映像と左目用映像とを切り替えて表示する表示装置と組み合わして使用した場合、鑑賞者は、両眼視差のある右目の映像と左目の映像をそれぞれ認識することにより、表示素子の映像を立体映像として見ることができる。
【００４４】
なお、発明において、各ＳＴＮ液晶表示装置のリタデーションが２０００ｎｍ未満であると、光透過型液晶表示素子に表示される右目用映像と左目用映像とを明確に分離することが困難となる。
【００４５】
請求項７に係る発明は、それぞれ液晶駆動用ベタ電極を有し、リタデーションが２０００（ｎｍ）以上で異なる値を有するＳＴＮ液晶表示素子を２枚重ね合わせ、該２枚のＳＴＮ液晶表示素子が２枚の偏光板により挟み込まれて形成されたシャッター素子である。上記２枚のＳＴＮ液晶表示素子のうち、いずれか一方のＳＴＮ液晶表示素子のリタデーションをＡ（ｎｍ）とし、他方のＳＴＮ液晶表示素子のリタデーションをＢ（ｎｍ）とした場合、上記２枚のＳＴＮ液晶表示素子は、ともに電荷が印加されていない状態で、異なる２方向のうち、１方向の視角に対しＡ−Ｂ＝０（ｎｍ）、且つ、他の１方向の視角に対してＡ−Ｂ＝２００（ｎｍ）となるように光学配置されており、２枚のＳＴＮ液晶表示素子に印加する電圧を調整することで、上記１方向の視角に対しＡ−Ｂ＝２００（ｎｍ）、且つ、上記他の１方向の視角に対しＡ−Ｂ＝０（ｎｍ）とリタデーションの差を反転させることが可能である。また、上記２枚のＳＴＮ液晶表示素子に印加する電圧を調整することで、２枚のＳＴＮ液晶表示素子のリタデーションをともに１０（ｎｍ）以下とすることが可能であることを特徴とする。
【００４６】
本発明に係るシャッター素子は、立体映像と平面映像とを切り替えて表示することが可能な立体映像表示装置に使用される。
【００４７】
即ち、本発明に係るシャッター素子は、光透過型液晶表示素子の右目用映像と左目用映像の映像切替周期に同期させて、２枚のＳＴＮ液晶表示素子のリタデーションの差を変化させることにより、上記右目用映像を右目に知覚させるとともに、左目用映像を左目に知覚させて、上記光透過型液晶表示素子の映像を立体映像として見せる。
【００４８】
一方、本発明に係るシャッター素子は、平面表示を行う場合、２枚のＳＴＮ液晶表示素子のリタデーションがともに１０（ｎｍ）以下となるように駆動することで、右目及び左目に同じ平面映像用表示を同時に知覚させ、鑑賞者に通常の平面映像を見せることができる。
【００４９】
ここで、平面映像用表示とは、通常の映像表示であって、右目用映像、左目用映像に切り替わる映像ではなく、一定の視角により認識される映像が継続して表示されるものをいう。
【００５０】
請求項８に係る発明は、請求項７に記載されたシャッター素子であって、上記２枚のＳＴＮ液晶表示素子に用いられている液晶材料のツイスト角が、２４０°以上、２７０°以下であることを特徴とする。
【００５１】
上記２枚のＳＴＮ液晶表示素子において、ツイスト角が２４０°以上、２７０°以下である液晶材料を使用することにより、各ＳＴＮ液晶表示素子のリタデーションを大きくすることができる。そのため、表示素子に表示される右目用映像と左目用映像とを明確に分離することができる。ツイスト角度が２４０°未満であると、視角を狭くするための光学配置が設定しずらくなり、鮮明な立体映像の表示が困難となる。
【００５２】
【発明の実施の形態】
本発明の実施の形態について図面を用いて説明する。
【００５３】
図１に示すように、本実施形態に係る立体映像表示装置１は、映像を表示する光透過型液晶表示素子２と、シャッター素子２と、バックライト４とを備える。
【００５４】
本実施形態に係る光透過型液晶表示素子２は、ＴＦＴ（Thin Film Transistor）素子や画素電極を備えたアクティブマトリクス基板と、ＩＴＯ（Indium Tin Oxide）からなる対向電極やカラーフィルタ層を備えた対向基板とを対向させて配置し、両基板間に液晶材料が封入された構造を有する。
【００５５】
上記光透過型液晶表示素子２は、ＩＴＯ等透明導電体で形成された画素電極を備え、光透過型液晶表示素子２の背面側に配置されたバックライト４から照射された光をシャッター素子３側に透過することができる。
【００５６】
また、上記光透過型液晶表示素子２は、ドライバ回路から供給される信号に基づき、立体映像用表示と平面映像用表示を切り替えて表示することができる。
【００５７】
本実施形態において、立体映像を表示する場合、光透過型液晶表示素子２は、右目用映像と左目用映像とを周期的に切り替えて表示する。右目用映像と左目用映像とは、実際に人間の両目が物体を視覚で認識する際に生じる両眼視差を考慮して作成された映像である。右目用映像を右目で知覚し、左目用映像を左目で知覚できるようにして、例えば、数十ヘルツという短い周期で両映像を切り替えて表示することにより、鑑賞者の網膜に生じる残像が脳内で合成されて立体映像として認識される。
【００５８】
一方、本実施形態に係る立体映像表示装置２は、平面映像を表示する場合、上記光透過型液晶表示素子２に平面映像用表示を行う。平面映像用表示とは、通常の映像表示であって、右目用映像、左目用映像に切り替わる映像ではなく、一定の視角により認識される映像が継続して表示されるものをいう。
【００５９】
本実施形態に係るシャッター素子３は、２枚のＳＴＮ液晶表示素子３１ａ、３１ｂを重ね合わせ、該２枚のＳＴＮ液晶表示素子３１ａ、３１ｂを２枚の偏光板３２ａ、３２ｂが挟み込むように形成されてている。
【００６０】
各ＳＴＮ液晶表示素子３１ａ、３１ｂには、２枚のガラス基板上にそれぞれＩＴＯからなる液晶駆動用ベタ電極が形成されており、該ベタ電極の上面の略全面には、ポリイミド製配向膜が所定の厚みで印刷されている。
【００６１】
該配向膜の表面には、上記光透過型液晶表示素子２に対向するＳＴＮ表示素子３１ａの一方の基板に対して、１８０°、２４０°で液晶分子がツイストするようにラビング処理が施される。上記ガラス基板の内縁に沿って貼り合せ用シール材がスクリーン印刷により形成される。該シール材の内側領域であって配向膜面上に上下基板のセル厚制御用スペーサを散布する。この状態で、上下２枚のガラス基板を重ね合わせ、加熱処理を施すことにより上記ガラス基板を貼り合わせる。
【００６２】
このように貼り合わされた２枚のガラス基板間のセルギャップにＳＴＮモードの液晶材料を注入し、注入口を感光性樹脂で封止する。本実施形態において使用される液晶材料は、上記シャッター素子の黒表示と白表示のコントラストを向上させるため、そのツイスト角が２４０°以上、２７０°以下のものが好適である。
【００６３】
本実施形態に係るＳＴＮ液晶表示素子３１ａ、３１ｂは、それぞれ液晶駆動用ベタ電極を備えているため、全面黒表示（遮蔽状態）あるいは全面白表示（透過状態）を切り替えて表示することができる。
【００６４】
上記シャッター素子３を構成するＳＴＮ液晶表示素子３１ａ、３１ｂは、それぞれリタデーションが２０００（ｎｍ）以上であって、異なる値を有する。本実施形態において、２枚のＳＴＮ液晶表示素子３１ａ、３１ｂのうち、上記光透過型液晶表示素子２に近接するＳＴＮ液晶表示素子３１ａに注入する液晶の屈折率とセルギャップの積をリタデーションＲｅ＝Ａ（ｎｍ）とし、一方、他のＳＴＮ液晶表示素子３１ｂに注入する液晶の屈折率を下げ、その屈折率とセルギャップの積をリタデーションＲｅ＝Ｂ（ｎｍ）とする。
【００６５】
本実施形態に係る各ＳＴＮ液晶表示素子３１ａ、３１ｂのリタデーションＡ、Ｂは、電圧が印加されていない状態で、Ａ＞Ｂ≧２０００（ｎｍ）との関係が成り立つように構成する。
【００６６】
ここで、２枚のＳＴＮ液晶表示素子３１ａ、３１ｂに形成された配向膜のラビング方向について説明する。上述の通り、図２に示すように、２枚のＳＴＮ液晶表示素子３１ａ、３１ｂは、それぞれのガラス基板に形成された配向膜のラビング方向が一致するように重ねて配置されている。
【００６７】
上記２枚の偏光板３２ａ、３２ｂは、右目若しくは左目の視角方向から見て、各偏光板の偏光軸をともにツイストしている液晶分子の中央の長軸方向に対して平行に配置するか、あるいは、１本の偏光軸は上記液晶分子の長軸方向に平行であって、且つ、他の１本の偏光軸は上記液晶分子の長軸方向に直交するように配置する。
【００６８】
図２に示すように、上記２枚の偏光板３２ａ、３２ｂの配置軸は、該ＳＴＮ液晶表示素子３１ａ、３１ｂの視角方向に対して、直角（I）、あるいは平行（II）に配置されている。従って、各偏光板の偏光軸が、ツイストしている中央の液晶分子の配向方向に対し、直交又は平行するように配置されることとなる。
【００６９】
本実施形態において、２枚のＳＴＮ液晶表示素子３１ａ、３１ｂのうち、リタデーションの大きい方のＳＴＮ液晶表示素子３１ａ、即ち、リタデーションＲｅ＝Ａ（ｎｍ）の偏光板を光透過型液晶表示素子２に対向するように配置した。
【００７０】
このように構成されたシャッター素子３は、各ＳＴＮ表示素子に印加される電圧を調整することで、２枚のＳＴＮ液晶表示素子３１ａ、３１ｂのリタデーションの差を変化させることことができる。
【００７１】
即ち、本実施形態において、上記２枚のＳＴＮ液晶表示素子３１ａ、３１ｂは、ともに電荷が印加されていない状態で、右目の視角に対しＡ−Ｂ＝０（ｎｍ）、且つ、左目の視角に対しＡ−Ｂ＝２００（ｎｍ）となるように光学配置されている。また、２枚のＳＴＮ液晶表示素子３１ａ、３１ｂに印加する電圧を調整することで、右目の視角に対しＡ−Ｂ＝２００（ｎｍ）、且つ、左目の視角に対しＡ−Ｂ＝０（ｎｍ）となるようリタデーションの差を反転させることができる。
【００７２】
これにより、上記各ＳＴＮ液晶表示素子３１ａ、３１ｂの無印加状態において、右目には上記光透過型液晶表示素子２の表示された右目用映像のみが知覚され、左目にはシャッター素子３の黒表示が知覚される。一方、上記各ＳＴＮ液晶表示素子３１ａ、３１ｂに所定の電圧が印加された状態において、右目にはシャッター素子３の黒表示が知覚され、左目には上記光透過型液晶表示素子２に切り替わって表示された左目用映像が知覚される。
【００７３】
本実施形態に係る立体映像表示装置１は、上記光透過型液晶表示素子２の右目用映像と左目用映像との切替周期に同期させて、シャッター素子３を構成する各ＳＴＮ液晶表示素子３１ａ、３１ｂのリタデーションの差を切り替えて変化させる。
【００７４】
本実施形態において、上記画像の切替周期は、６０（Ｈｚ）程度が好適である。
【００７５】
この結果、鑑賞者の右目の網膜には右目用映像の残像が生じ、左目の網膜には左目用映像の残像が生じる。これらの残像が鑑賞者の脳内で合成されることにより、鑑賞者は光透過型液晶表示素子２に表示される映像を立体映像として認識することができる。
【００７６】
本実施形態に係る立体映像表示装置１は、平面映像を表示させることも可能である。
【００７７】
平面映像を表示させる場合、上記光透過型液晶表示素子２に平面映像用表示を行わせるとともに、上記シャッター素子３を構成する２枚のＳＴＮ液晶表示素子のリタデーションを、ともに１０（ｎｍ）以下となるように印加電圧を調整する。
【００７８】
このように調整することにより、上記シャッター素子３は、右目の視角と左目の視角に対し、同等に光を透過するすることができる。その結果、本実施形態に係る立体映像表示装置は、感謝者の右目及び左目に同じ平面映像用表示を同時に知覚させることにより、通常の平面映像を見せることができる。
【００７９】
このように、本実施形態に係る立体映像表示装置１は、立体映像のみならず平面映像をも表示することができる。
【００８０】
以下、本発明の実施例について説明する。
【００８１】
【実施例１】
実施例１に係る立体映像表示装置１は、光透過型液晶表示素子２と、シャッター素子３及びバックライト４を備える。
【００８２】
本実施例に係る光透過型液晶表示素子２は、右目用映像と左目用映像とを６０（Ｈｚ）の周波数で切り替えて表示することができる。
【００８３】
本実施例に係るシャッター素子３には、２枚のＳＴＮ液晶表示素子３１ａ、３１ｂが重ね合わされて配置され、これら２枚のＳＴＮ液晶表示素子３１ａ、３１ｂを挟み込むように２枚の配向板３２ａ、３２ｂが形成されている。
【００８４】
上記各ＳＴＮ液晶表示素子３１ａ、３１ｂには、それぞれ２４０°でツイストする液晶材料が封入されている。上記２枚の偏光板３２ａ、３２ｂの配置軸は、上記ＳＴＮ液晶表示素子３１ａ、３１ｂの視角方向に対して垂直に配置されている。従って、各偏光板の偏光軸は、ツイストしている中央の液晶分子の配向方向に対して直交するように配置されることとなる。
【００８５】
本実施例において、ともに電圧が印加されていない状態で、２枚のＳＴＮ液晶表示素子３１ａ、３１ｂのうち、光透過型液晶表示素子２に近い方のＳＴＮ液晶表示素子３１ａのリタデーションは、Ｒｅ＝２２００（ｎｍ）となり、光透過型液晶表示素子２から遠い方のＳＴＮ液晶表示素子３１ｂのリタデーションは、Ｒｅ＝２０００（ｎｍ）となるよう設定されている。リタデーションＲｅ＝２２００（ｎｍ）のＳＴＮ液晶表示素子３１ａを光透過型液晶表示素子２に対向するように配置した。
【００８６】
図３に示すように、上記各ＳＴＮ液晶表示素子３１ａ、３１ｂのリタデーションの差は、ともに電荷が印加されていない状態で、右目の視角に対しＡ−Ｂ＝０（ｎｍ）となり、左目の視角に対しＡ−Ｂ＝２００（ｎｍ）となるように光学配置されている。また、図４に示すように、各ＳＴＮ液晶表示素子３１ａ、３１ｂに所定の電圧が印加された状態では、右目の視角に対しＡ−Ｂ＝２００（ｎｍ）となり、左目の視角に対しＡ−Ｂ＝０（ｎｍ）となるようリタデーションの差を反転させる。
【００８７】
バックライト４を点灯し、上記光透過型液晶表示素子２が右目用映像のみを表示させた状態で、各ＳＴＮ液晶表示素子３１ａ、３１ｂに電圧を印可せずに画面を見ると、右目Ｒには、光透過型液晶表示素子２の右目用映像が知覚され、左目Ｌには、シャッター素子３の黒表示が知覚されるのが確認できた。
【００８８】
次に、上記光透過型液晶表示素子２が左目用映像のみを表示させた状態で、各ＳＴＮ液晶表示素子３１ａ、３１ｂに所定の電圧を印可して画面を見ると、右目Ｒには、シャッター素子３の黒表示が知覚され、左目Ｌには、光透過型液晶表示素子２の左目用映像が知覚されるのが確認できた。
【００８９】
そこで、上記光透過型液晶表示素子２に右目用映像と左目用映像とを６０（Ｈｚ）の周波数で切り替えて表示させるとともに、上記シャッター素子３のＳＴＮ液晶表示素子３１ａ、３１ｂに該周波数に同期させて、断続的に所定電圧を印加すると、両目を通して画面に鮮明な立体映像を知覚することができた。
【００９０】
【実施例２】
実施例２に係る立体映像表示装置１は、実施例１に係る立体映像表示装置と同様、光透過型液晶表示素子２と、シャッター素子３及びバックライト４を備える。
【００９１】
本実施例において、上記２枚の偏光板３２ａ、３２ｂの配置軸は、上記ＳＴＮ液晶表示素子３１ａ、３１ｂの視角方向に対して平行に配置されている。従って、各偏光板の偏光軸は、ツイストしている中央の液晶分子の配向方向に対して平行に配置されることとなる。
【００９２】
本実施例に係る立体映像表示装置のその他の構成は、上記実施例１と同じである。
【００９３】
バックライト４を点灯し、上記光透過型液晶表示素子２が右目用映像のみを表示させた状態で、各ＳＴＮ液晶表示素子３１ａ、３１ｂに電圧を印可せずに画面を見ると、右目Ｒには、光透過型液晶表示素子２の右目用映像が知覚され、左目Ｌには、シャッター素子３の黒表示が知覚されるのが確認できた。
【００９４】
次に、上記光透過型液晶表示素子２が左目用映像のみを表示させた状態で、各ＳＴＮ液晶表示素子３１ａ、３１ｂに所定の電圧を印可して画面を見ると、右目Ｒには、シャッター素子３の黒表示が知覚され、左目Ｌには、光透過型液晶表示素子２の左目用映像が知覚されるのが確認できた。
【００９５】
そこで、上記光透過型液晶表示素子２に右目用映像と左目用映像とを６０（Ｈｚ）の周波数で切り替えて表示させるとともに、上記シャッター素子３のＳＴＮ液晶表示素子３１ａ、３１ｂに該周波数に同期させて、断続的に所定電圧を印加すると、両目を通して画面に鮮明な立体映像を知覚することができた。
【００９６】
【実施例３】
実施例３に係る立体映像表示装置１は、実施例１に係る立体映像表示装置と同様、光透過型液晶表示素子２と、シャッター素子３及びバックライト４を備える。
【００９７】
本実施例において、上記２枚のＳＴＮ液晶表示素子３１ａ、３１ｂのうち、光透過型液晶表示素子２に近い方のＳＴＮ液晶表示素子３１ａのリタデーションは、電圧が印加されていない状態でＲｅ＝２４００（ｎｍ）であり、光透過型液晶表示素子２から遠い方のＳＴＮ液晶表示素子３１ｂのリタデーションは、Ｒｅ＝２２００（ｎｍ）と設定されている。リタデーションＲｅ＝２４００（ｎｍ）のＳＴＮ液晶表示素子３１ａを光透過型液晶表示素子２に対向するように配置した。
【００９８】
図３に示すように、上記各ＳＴＮ液晶表示素子３１ａ、３１ｂのリタデーションの差は、ともに電荷が印加されていない状態で、右目の視角に対しＡ−Ｂ＝０（ｎｍ）となり、左目の視角に対しＡ−Ｂ＝２００（ｎｍ）となるように光学配置されている。また、図４に示すように、各ＳＴＮ液晶表示素子３１ａ、３１ｂに所定の電圧が印加された状態では、右目の視角に対しＡ−Ｂ＝２００（ｎｍ）となり、左目の視角に対しＡ−Ｂ＝０（ｎｍ）となるようリタデーションの差を反転させる。
【００９９】
本実施例に係る立体映像表示装置のその他の構成は、上記実施例１と同じである。
【０１００】
バックライト４を点灯し、上記光透過型液晶表示素子２が右目用映像のみを表示させた状態で、各ＳＴＮ液晶表示素子３１ａ、３１ｂに電圧を印可せずに画面を見ると、右目Ｒには、光透過型液晶表示素子２の右目用映像が知覚され、左目Ｌには、シャッター素子３の黒表示が知覚されるのが確認できた。
【０１０１】
次に、上記光透過型液晶表示素子２が左目用映像のみを表示させた状態で、各ＳＴＮ液晶表示素子３１ａ、３１ｂに所定の電圧を印可して画面を見ると、右目Ｒには、シャッター素子３の黒表示が知覚され、左目Ｌには、光透過型液晶表示素子２の左目用映像が知覚されるのが確認できた。
【０１０２】
そこで、上記光透過型液晶表示素子２に右目用映像と左目用映像とを６０（Ｈｚ）の周波数で切り替えて表示させるとともに、上記シャッター素子３のＳＴＮ液晶表示素子３１ａ、３１ｂに該周波数に同期させて、断続的に所定電圧を印加すると、両目を通して画面に鮮明な立体映像を知覚することができた。
【０１０３】
【比較例１】
比較例１に係る立体映像表示装置１は、実施例１に係る立体映像表示装置と同様、光透過型液晶表示素子２と、シャッター素子３及びバックライト４を備える。
【０１０４】
本実施例において、上記２枚のＳＴＮ液晶表示素子３１ａ、３１ｂのうち、光透過型液晶表示素子２に近い方のＳＴＮ液晶表示素子３１ａのリタデーションは、電圧が印加されていない状態でＲｅ＝２０００（ｎｍ）であり、光透過型液晶表示素子２から遠い方のＳＴＮ液晶表示素子３１ｂのリタデーションは、Ｒｅ＝１８００（ｎｍ）に設定されている。リタデーションＲｅ＝２０００（ｎｍ）のＳＴＮ液晶表示素子３１ａを光透過型液晶表示素子２に対向するように配置した。
【０１０５】
図３に示すように、上記各ＳＴＮ液晶表示素子３１ａ、３１ｂのリタデーションの差は、ともに電荷が印加されていない状態で、右目の視角に対しＡ−Ｂ＝０（ｎｍ）となり、左目の視角に対しＡ−Ｂ＝２００（ｎｍ）となるように光学配置されている。また、図４に示すように、各ＳＴＮ液晶表示素子３１ａ、３１ｂに所定の電圧が印加された状態では、右目の視角に対しＡ−Ｂ＝２００（ｎｍ）となり、左目の視角に対しＡ−Ｂ＝０（ｎｍ）となるようリタデーションの差を反転させる。
【０１０６】
本実施例に係る立体映像表示装置のその他の構成は、上記実施例１と同じである。
【０１０７】
バックライト４を点灯し、上記光透過型液晶表示素子２が右目用映像のみを表示させた状態で、各ＳＴＮ液晶表示素子３１ａ、３１ｂに電圧を印可せずに画面を見ると、右目Ｒに光透過型液晶表示素子２の右目用映像が知覚された。
【０１０８】
しかし、左目Ｌには、シャッター素子３の完全な黒表示が知覚されず、右目用映像をも知覚してしまうことが確認された。これは、２枚のＳＴＮ液晶表示素子３１ａ、３１ｂのリタデーションがともに小さいため、ＳＴＮ液晶表示素子３１ａ、３１ｂの視角が広がった結果、右目用映像が左目にも知覚されたものである。
【０１０９】
従って、本比較例に係る立体映像表示装置では、鮮明な立体映像が得られなかった。
【０１１０】
【比較例２】
比較例２に係る立体映像表示装置１は、実施例１に係る立体映像表示装置と同様、光透過型液晶表示素子２と、シャッター素子３及びバックライト４を備える。
【０１１１】
本比較例において、上記各ＳＴＮ液晶表示素子３１ａ、３１ｂには、それぞれ１８０°でツイストする液晶材料が封入されている。上記２枚の偏光板３２ａ、３２ｂの配置軸は、上記ＳＴＮ液晶表示素子３１ａ、３１ｂの視角方向に対して、垂直に配置されている。従って、各偏光板の偏光軸は、ツイストしている中央の液晶分子の配向方向に対し、直交するように配置されることとなる。
【０１１２】
本実施例において、２枚のＳＴＮ液晶表示素子３１ａ、３１ｂのうち、光透過型液晶表示素子２に近い方のＳＴＮ液晶表示素子３１ａのリタデーションは、電圧が印加されていない状態でＲｅ＝２２００（ｎｍ）であり、光透過型液晶表示素子２から遠い方のＳＴＮ液晶表示素子３１ｂのリタデーションは、Ｒｅ＝２０００（ｎｍ）と設定されている。リタデーションＲｅ＝２２００（ｎｍ）のＳＴＮ液晶表示素子３１ａを光透過型液晶表示素子２に対向するように配置した。
【０１１３】
図３に示すように、上記各ＳＴＮ液晶表示素子３１ａ、３１ｂのリタデーションの差は、ともに電荷が印加されていない状態で、右目の視角に対しＡ−Ｂ＝０（ｎｍ）となり、左目の視角に対しＡ−Ｂ＝２００（ｎｍ）となるように光学配置されている。また、図４に示すように、各ＳＴＮ液晶表示素子３１ａ、３１ｂに所定の電圧が印加された状態では、右目の視角に対しＡ−Ｂ＝２００（ｎｍ）となり、左目の視角に対しＡ−Ｂ＝０（ｎｍ）となるようリタデーションの差を反転させる。
【０１１４】
本実施例に係る立体映像表示装置のその他の構成は、上記実施例１と同じである。
【０１１５】
バックライト４を点灯し、上記光透過型液晶表示素子２が右目用映像のみを表示させた状態で、各ＳＴＮ液晶表示素子３１ａ、３１ｂに電圧を印可せずに画面を見ると、右目Ｒに光透過型液晶表示素子２の右目用映像が知覚された。
【０１１６】
しかし、この状態で、左目Ｌがシャッター素子３を通して不鮮明な右目用映像をも知覚してしまうことが確認された。これは、２枚のＳＴＮ液晶表示素子３１ａ、３１ｂに封入された液晶分子のツイスト角が１８０°と小さいため、ＳＴＮ液晶表示素子３１ａ、３１ｂの黒表示が不十分であった結果、右目用映像がシャッター素子３を通して左目にも知覚されたものである。
【０１１７】
従って、本比較例に係る立体映像表示装置では、鮮明な立体映像が得られなかった。
【０１１８】
上記各実施例及び比較例から、上記シャッター素子３を構成する２枚のＳＴＮ液晶表示素子３１ａ、３１ｂは、そのリタデーションがそれぞれ少なくとも２０００（ｎｍ）であることが好ましいといえる。また、上記各ＳＴＮ液晶表示素子３１ａ、３１ｂに封入される液晶分子のツイスト角は、少なくとも２４０°以上であることが好ましいといえる。
【０１１９】
【発明の効果】
本発明に係る立体映像表示装置は、液晶駆動用ベタ電極を有するＳＴＮ液晶表示素子を用いてシャッター素子が構成されているため、比較的簡易な構造で光透過型液晶表示素子２における表示される映像を右目用映像と左目用映像とに明確に分離することができる。これにより、本発明に係る立体映像表示装置は、極めて鮮明な立体表示を実現することができる。
【０１２０】
また、本発明に係る立体映像表示装置は、上記従来技術が必要とした高度な位置決め技術を必要としないため、製造コストを低減することができる。また、本発明に係る立体映像表示装置は、消費電力が比較的小さくて済むため、ランニングコストも低減することができる。
【０１２１】
更に、本発明に係る立体映像表示装置は、従来のパララックスバリア方式やレンチキュラ方式を採用する立体映像表示装置では不可能であった立体映像表示と平面映像表示の併用を簡単に実現できる。
【図面の簡単な説明】
【図１】実施の形態に係る立体映像表示装置の要部断面図である。
【図２】実施の形態に係るシャッター素子の構造を示す概略図である。
【図３】実施の形態に係る立体映像表示装置の原理図である。
【図４】実施の形態に係る立体映像表示装置の原理図である。
【図５】従来の立体映像表示装置の原理図である。
【図６】従来の立体映像表示装置の原理図である。
【図７】従来の立体映像表示装置の原理図である。
【図８】従来の立体映像表示装置の原理図である。
【符号の説明】
１  立体映像表示装置
２  光透過型液晶表示素子
３  シャッター素子
４  バックライト
３１ａ  ＳＴＮ液晶表示素子
３１ｂ  ＳＴＮ液晶表示素子
３２ａ  偏光板
３２ｂ  偏光板
【図１】
2004198727.tif 000003
【図２】
2004198727.tif 000004
【図３】
2004198727.tif 000005
【図４】
2004198727.tif 000006
【図５】
2004198727.tif 000007
【図６】
2004198727.tif 000008
【図７】
2004198727.tif 000009
【図８】
2004198727.tif 000010